(57)【要約】  多数のテーパ状突起を有する例示的な光管理フィルムについて述べる。特定の例では、本開示は、反射型偏光層と、反射型偏光層上に配置され、反射型偏光層から遠ざかる方向にテーパした多数のテーパ状突起とを含むフィルムであって、テーパ状突起が、多数のほぼ円錐状の突起又は少なくとも４つの側面を有する多数の角錐状の突起の少なくとも一方を含むフィルムに関する。多数のテーパ状突起は入射光の広がりを減少させ、第１の方向に沿って伝播する入射光の大部分を、第１の方向とは異なる第２の方向に偏向させるように構成することができる。
2014520357.tif 000002
【特許請求の範囲】
【請求項１】
反射型偏光層と、
該反射型偏光層上に配置され、該反射型偏光層から遠ざかる方向にテーパした多数のテーパ状突起と、を含むフィルムであって、前記多数のテーパ状突起が多数のほぼ円錐状の突起又は少なくとも４つの側面を有する多数の角錐状の突起の少なくとも一方を含む、フィルム。
【請求項２】
前記多数のテーパ状突起が、六角緊密充填パターンに配列された多数のテーパ状突起を含む、請求項１に記載のフィルム。
【請求項３】
前記多数のテーパ状突起のそれぞれのテーパ状突起が、基部の面積を規定する基部表面と、先端部の面積を規定する先端部表面とを有し、前記先端部の面積が前記基部の面積の約１０％よりも小さい、請求項１に記載のフィルム。
【請求項４】
前記多数のテーパ状突起が前記反射型偏光層上に直接配置された、請求項１に記載のフィルム。
【請求項５】
前記多数のテーパ状突起が、入射光の広がりを互いに直交する少なくとも２方向において減少させる、請求項１に記載のフィルム。
【請求項６】
光源と、
ライトガイドと、
外側ディスプレイ表面と、
前記ライトガイドと前記外側ディスプレイ表面との間の、前記ライトガイドに近づく方向にテーパした多数のテーパ状突起と、を含むディスプレイアセンブリであって、前記多数のテーパ状突起が、多数のほぼ円錐状の突起又は少なくとも４つの面を有する多数の角錐状の突起の少なくとも一方を含み、前記光源からの光が前記ライトガイドを通って前記多数のテーパ状突起内に伝播する、ディスプレイアセンブリ。
【請求項７】
多数のほぼ角錐状の突起を含むフィルムであって、該多数の角錐状の突起のそれぞれが４つよりも多い面を有する、フィルム。
【請求項８】
前記多数のほぼ角錐状の突起のそれぞれの面がほぼ平面状である、請求項７に記載のフィルム。
【請求項９】
前記多数の角錐状の突起が、それぞれの突起の表面に入射する光の広がりを少なくとも１つの方向において減少させ、かつ入射光の大部分を偏向させ、第１の方向に沿って伝播する入射光については、前記突起が光の大部分を前記第１の方向とは異なる第２の方向に沿って偏向させる請求項７に記載のフィルム。
【発明の詳細な説明】
【技術分野】
【０００１】
本開示はディスプレイ装置に関し、詳細にはバックライトディスプレイ装置において使用することができるフィルムに関する。
【背景技術】
【０００２】
液晶ディスプレイ（ＬＣＤ）などの光学ディスプレイは、益々一般的なものとなりつつあり、例えば携帯電話、携帯情報端末（ＰＤＡ）からラップトップコンピュータに到る携帯コンピュータ装置、携帯デジタル音楽プレーヤー、液晶デスクトップコンピュータモニター、及び液晶テレビにおいて使用することができる。ＬＣＤは、より一般的に普及しつつあることに加え、ＬＣＤを組み込んだ電子装置の製造業者によるパッケージサイズの小型化に向けた努力の結果、薄型化しつつある。多くのＬＣＤは、ＬＣＤの表示領域を照らすためのバックライトを使用している。
【発明の概要】
【課題を解決するための手段】
【０００３】
一般的には、本開示は、例えばバックライトディスプレイ装置において光を偏向させるために使用することができる光管理フィルムに関する。フィルムは、フィルムの表面を形成する多数のテーパ状突起を有しうる。テーパ形状の突起は、多数のほぼ円錐状の突起、及び／又は少なくとも４つの面を有する多数の角錐状の突起の形態とすることができる。特定の例では、フィルムは反射型偏光層を有してよく、その場合、多数の突起は反射型偏光層から遠ざかる方向にテーパさせることができる。バックライトディスプレイ装置に使用される場合、フィルムはライトガイドとディスプレイ表面との間に配置することができ、多数の突起はディスプレイのライトガイドに近づく方向で、かつディスプレイ表面から遠ざかる方向にテーパさせることができる。このような例では、多数のテーパ状突起を、それぞれの突起の表面に入射する光の広がりを少なくとも１つの方向において（例えば互いに直交する２方向）減少させるように構成することができる。更に、第１の方向に沿って伝播する入射光については、突起が入射光の大部分を第１の方向とは異なる第２の方向に沿って偏向させるように多数のテーパ状突起を構成することができる。
【０００４】
１つの例では、本開示は、反射型偏光層と、反射型偏光層上に配置され、反射型偏光層から遠ざかる方向にテーパした多数のテーパ状突起と、を含むフィルムであって、多数のテーパ状突起が多数のほぼ円錐状の突起又は少なくとも４つの側面を有する多数の角錐状の突起の少なくとも一方を含み、多数のテーパ状突起がそれぞれの突起の表面に入射する光の広がりを少なくとも１つの方向において減少させ、かつ入射光の大部分を偏向させ、第１の方向に沿って伝播する入射光については、突起が入射光の大部分を第１の方向とは異なる第２の方向に沿って偏向させる、フィルムに関する。
【０００５】
別の例では、本開示は、光源と、ライトガイドと、外側ディスプレイ表面と、ライトガイドと外側ディスプレイ表面との間の、ライトガイドに近づく方向にテーパした多数のテーパ状突起と、を含むディスプレイ装置であって、多数のテーパ状突起が多数のほぼ円錐状の突起又は少なくとも４つの面を有する多数の角錐状の突起の少なくとも一方を含み、光源からの光がライトガイドを通って多数のテーパ状突起内に伝播し、多数のテーパ状突起がそれぞれの突起の表面に入射する光の広がりを少なくとも１つの方向において減少させ、かつ入射光の大部分を偏向させ、第１の方向に沿って伝播する入射光については、突起が入射光の大部分を第１の方向とは異なる第２の方向に沿って偏向させる、ディスプレイ装置に関する。
【０００６】
別の例では、本開示は、多数のほぼ角錐状の突起を含むフィルムであって、多数の角錐状の突起のそれぞれが４つよりも多い面を有する、フィルムに関する。
【０００７】
本発明の１以上の実施形態の詳細を添付の図面及び以下の説明文に記載する。本発明の他の特徴、目的、及び利点は、説明及び図面、並びに特許請求の範囲から明らかとなるであろう。
【図面の簡単な説明】
【０００８】
【図１Ａ】例示的なバックライトディスプレイ装置を示した概念図。
【図１Ｂ】例示的なバックライトディスプレイ装置を示した概念図。
【図２】例示的な光管理フィルムを示した概念図。
【図３】例示的な光管理フィルム及び例示的なライトガイドを示した概念図。
【図４】例示的な光管理フィルムの２つの異なる例示的な反射型偏光部分を示した概念図。
【図５】例示的な光管理フィルムの２つの異なる例示的な反射型偏光部分を示した概念図。
【図６】２つの異なる例示的なテーパ状突起を示した概念図。
【図７】２つの異なる例示的なテーパ状突起を示した概念図。
【図８Ａ】２つの異なる例示的なテーパ状突起の水平断面を示した概念図。
【図８Ｂ】２つの異なる例示的なテーパ状突起の水平断面を示した概念図。
【図９】例示的なテーパ状突起の垂直断面を示した概念図。
【図１０】別の例示的なテーパ状突起を示した概念図。
【図１１】シミュレートしたコノスコープ入力を示す画像。
【図１２】例示的なフィルムからのシミュレートした出力を示す画像。
【図１３】シミュレートしたコノスコープ入力を示す画像。
【図１４】４つの例示的なシミュレートしたフィルムのそれぞれについて、垂直面に沿った極角に対する輝度をプロットしたもの。
【図１５】２つの例示的なシミュレートしたフィルムについて、垂直面に沿った極角に対する輝度をプロットしたもの。
【図１６】例示的なシミュレートしたフィルムについて、基部の幅に対する先端部の幅の比に対して軸方向の輝度をプロットしたもの。
【図１７】２つの例示的なシミュレートしたフィルム構造について極角に対する輝度をプロットしたもの。
【図１８】５つの例示的なシミュレートしたフィルムについて極角に対する輝度をプロットしたもの。
【図１９】４つの側面を有するほぼ角錐状の突起を有する例示的なフィルムによって生成された、シミュレートされた出力を示す画像。
【図２０】１０個の側面を有するほぼ角錐状の突起を有する例示的なフィルムによって生成された、シミュレートされた出力を示す画像。
【図２１】例示的な突起を示す画像。
【図２２】平面図で見た円錐状の突起の例示的な配列を示す画像。
【図２３】斜視図で見た図２２の円錐状の突起の例示的な配列を示した走査電子顕微鏡（ＳＥＭ）画像。
【図２４】ライトガイドと例示的なフィルムとの例示的な組み合わせからの例示的な出力を示すコノスコープ画像。
【図２５】コノスコープ画像。
【図２６】異なる例示的なフィルム積層体について軸方向の輝度を比較したプロット。
【図２７】シミュレートしたコノスコープ入力を示す画像。
【発明を実施するための形態】
【０００９】
一般的には、本開示は、例えばバックライトディスプレイ装置において光を偏向させるために使用することが可能な光管理フィルムに関する。フィルムは、フィルムの表面を形成する多数のテーパ状突起を有しうる。テーパ形状の突起は、多数のほぼ円錐状の突起、及び／又は少なくとも４つの面を有する多数の角錐状の突起の形態とすることができる。特定の例では、フィルムは反射型偏光層を有してよく、その場合、多数の突起は反射型偏光層から遠ざかる方向にテーパさせることができる。バックライトディスプレイ装置に使用される場合、フィルムはライトガイドとディスプレイ表面との間に配置することができ、多数の突起はディスプレイのライトガイドに近づく方向で、かつディスプレイ表面から遠ざかる方向にテーパさせることができる。このような例では、多数のテーパ状突起を、それぞれの突起の表面に入射する光の広がりを少なくとも１つの方向において（例えば互いに直交する２方向）減少させるように構成することができる。更に、第１の方向に沿って伝播する入射光については、突起が入射光の大部分を第１の方向とは異なる第２の方向に沿って偏向させるように多数のテーパ状突起を構成することができる。
【００１０】
特定の例では、バックライトディスプレイ装置は、光源、ライトガイド、液晶ディスプレイ（ＬＣＤ）、及び、ライトガイドとＬＣＤとの間の光管理フィルムの積層体を含みうる。こうした例では、バックライトから放射された光を、ライトガイド及び光管理フィルムの積層体を通って伝播した後にＬＣＤを照射するために用いることができる。より詳細には、ライトガイドから出射した光は、ＬＣＤに入射する前に光管理フィルムの積層体を通って伝播する。光管理フィルムの積層体は、ディフューザー（特定の場合では下側ディフューザーすなわちＢＤと呼ばれる）、２枚のプリズムフィルム、反射型偏光子（ＲＰ）、及び場合により更なるディフューザー（特定の場合ではカバーシートすなわちＣＳと呼ばれる）を含んでいる。
【００１１】
特定の例では、ディスプレイ装置は、ライトガイドによって光管理フィルムの積層体から分離された後方リフレクター層を有してもよい。光管理フィルムの積層体とライトガイドと反射層との組み合わせをバックライト積層体と呼ぶ場合もある。バックライト積層体の各層がＬＣＤのディスプレイ表面とほぼ平行な向きであり、光源が１以上の縁部に隣接しているような場合では、バックライト積層体は、後方リフレクター、ライトガイド、ＢＤ、２枚のプリズムフィルム、ＲＰ、及びＣＳをこの順で後方から前方に有しうる。各プリズムフィルムは、頂角が９０°の多数の平行な線形プリズムを上面に有する透明な基材で構成することができる。最後方のプリズムフィルムの各プリズムは、前方プリズムフィルムの各プリズムと直交する方向に概ね延びるような向きとすることができる。このような場合、各プリズムフィルム同士は交差方向にあるということができ、ライトガイドからの光の一部をＬＣＤに向けて偏向させるように構成することができる。バックライト積層体は、バックライトの前方からバックライトの後方に向かう順にＣＳ／ＲＰ／プリズムフィルム／プリズムフィルム／ＢＤ／ライトガイド／リフレクターと略記することができる。
【００１２】
ディスプレイ装置の光源及びバックライト積層体は、比較的高い効率でＬＣＤを照射する空間的かつ角度的に均一な光を与えるように構成することができる。しかしながら、望ましい性能水準を維持しつつも、より一層薄いバックライトディスプレイ装置を製造するためにバックライトの厚さを小さくし、更にバックライト積層体を製造するための材料及び全体的コストを削減することが引き続き求められている。特定の例では、バックライト積層体及びバックライトディスプレイ装置の構造は、線形プリズムフィルム同士を互いに対して交差した向きとなるように位置を調整し、更に光源、ライトガイド、及びディスプレイ装置の他の要素に対して位置を調整する際に求められる精度のために複雑なものとなりうる。
【００１３】
本開示の特定の例に基づけば、光管理フィルムは多数のテーパ状突起を有しうる。多数のテーパ状突起は、ほぼ円錐状の突起及び／又はほぼ角錐状の突起を含んでよく、その場合、ほぼ角錐状の突起は少なくとも４つの側面を有する。このようなフィルムは、バックライトディスプレイ装置のライトガイドとＬＣＤとの間に用いることができる。バックライトディスプレイ装置に組み込まれる際、テーパ状突起は、ライトガイドに近づく方向で、かつＬＣＤから遠ざかる方向にテーパさせることができる。光管理フィルムを通過してＬＣＤに向かう光に対しては、テーパ状突起は入射光の広がりを減少させ、第１の方向に沿って伝播する入射光の大部分を、第１の方向とは異なる第２の方向に偏向させることができる。
【００１４】
特定の例では、多数のテーパ状突起を有する光管理フィルムは、反射型偏光層を更に有してもよい。偏向層のテーパ状突起は、反射型偏光層上に（直接的又は間接的に）配置され、反射型偏光層から遠ざかる方向にテーパさせることができる。バックライトディスプレイ装置に用いられる場合、反射型偏光層は、多数のテーパ状突起によってライトガイドから分離させることができる。特定の例では、光管理フィルムは、偏向層及び反射型偏光層の層以外に、艶消し層、透明層、及び／又は接着層などの１以上の他の層を有してもよい。特定の例では、本開示の特定の例に基づく光管理フィルムは、例えば上記に述べたＣＳ／ＲＰ／プリズムフィルム／プリズムフィルム／ＢＤ／ライトガイド／リフレクターの構成と比較して、バックライトディスプレイ装置のライトガイドの表面とＬＣＤとの間に配置することが可能な単一の光学的構造を与えることができる。このようにして、バックライトディスプレイ装置のバックライト積層体の全体の厚さを小さくするとともに、バックライト積層体を製造するための材料及び全体的コストを削減することができる。
【００１５】
図１Ａ及び１Ｂは、例示的なバックライトディスプレイ装置１０を示した概念図である。バックライトディスプレイ装置１０は、光源１２、ライトガイド１４、リフレクター１６、ＬＣＤ  １８、及び光管理フィルム２０を有している。図に示されるように、光管理層は、反射型偏光層２４及び多数のテーパ状突起３０を有している。説明を簡単にするため、図１Ａ及び１Ｂでは１個の突起３０Ａのみに番号を付している。しかしながら本開示の全体を通じて、１個の突起３０Ａなどの個々の突起を「多数のテーパ状突起３０」とまとめて呼ぶ場合がある。バックライトディスプレイ装置１０は、ライトガイド１４の１つの縁部１７に隣接した１個の光源１４とともに示されているが、他の構成も考えられる。例えばバックライトディスプレイ装置１０は、ライトガイド１４の１以上の表面に隣接して１以上の光源１２を有してもよい。
【００１６】
光源１４は、蛍光灯又は発光ダイオード（ＬＥＤ）などの任意の種類の適当な光源であってよい。更に、光源１４は、複数の個別のＬＥＤなどの複数の個別の光源を含んでもよい。ＬＣＤ  １８の外側ディスプレイ表面２２を照射するため、光源１４からの光はライトガイド１４を概ねｚ方向に通って伝播する。この光の少なくとも一部は、ライトガイド１４の上面１５から光管理フィルム２０内に出射する。ライトガイド１４の下にはリフレクター１６が配置され、光を光管理フィルム２０の方向に反射する。
【００１７】
ライトガイド１４から光管理フィルム２０に入射する光の一部は、多数のテーパ状突起３０によって偏向された後、反射型偏光層２４に入射する。例えば一部の光が、概ね反射型偏光層２４及びＬＣＤ  １８の方向（ｚ方向）に屈折されうるのに対して、ライトガイド１４からの光の他の部分は、偏向されることなく多数のテーパ状突起３０を通過しうる。特定の例では、多数のテーパ状突起３０が突起３０のライトガイド表面に対して入射する光を偏向させ、第１の方向に沿って伝播する入射光については、突起３０が入射光の大部分を第１の方向とは異なる第２の方向に沿って偏向させて多数のテーパ状突起を通過させることができる。入射光の大部分とは、光強度に関して入射光の少なくとも５０％のことを指す場合がある。特定の例では、多数のテーパ状突起３０は、入射光の少なくとも６０％、少なくとも７０％、少なくとも８０％、少なくとも９０％、又は少なくとも９５％をこのように偏向させることができる。しかしながら、光の他の部分は、光管理フィルム２０によってライトガイド１４内に戻る方向に偏向されうる。この光の一部は、光がリフレクター１６によってライトガイド１４及び光管理フィルム２０内に戻る方向に反射されるという意味において「再利用」されうる。
【００１８】
更に、多数のテーパ状突起３０は、ライトガイド表面に対して入射する光の広がりを、２方向（例えば互いに直交する２方向）などの少なくとも１つの方向において減少させることができる。このように光の広がりを減少させることは、光強度に関してライトガイド１４からの入射光の光の広がりの５０％よりも大きい、例えば少なくとも６０％、少なくとも７０％、少なくとも８０％、少なくとも９０％、又は少なくとも９５％の減少のことを指す場合がある。
【００１９】
特定の例では、突起３０が入射光を偏向させる程度は、入射角によって決まる。例えば、（表面の法線から測定して）３４°よりも小さい極角で入射する光線は、３６°よりも大きい極角に屈折される（突起３０の屈折率約１．５及び頂角約６６．６°の場合）。このような場合、光出力の大部分が約３４°よりも大きい極角の範囲を示すことが好ましい場合がある。特定の例では、ライトガイド１４からそれぞれの突起に入射する光の大部分が約３４°よりも大きいディスプレイの法線に対する角度を示すようにアセンブリ１０を構成することができる。特定の例では、ライトガイド１４は、光強度に関してライトガイド１４からの入射光の少なくとも５０％、例えば少なくとも６０％、少なくとも７０％、少なくとも８０％、少なくとも９０％、又は少なくとも９５％が、約３４°よりも大きい、例えば約４５°よりも大きい、又は約６０°よりも大きいディスプレイの法線（ディスプレイ１８の表面２２に対してほぼ直交する）に対する角度を示すように構成することができる。
【００２０】
多数のテーパ状突起３０から反射型偏光層２４内へと透過する光の一部は、反射型偏光層２４からＬＣＤ  １８内に透過するが、異なる偏光の光は反射型偏光層２４によってライトガイド１４内に戻る方向に反射されうる。一般的に、反射型偏光層２４によってライトガイド１４内に戻る方向に反射される光の偏光は、光がＬＣＤ  １８の後方偏光子によって吸収されるようなものである。その代わりに、特定の例では、この反射光は、光がリフレクター１６によってライトガイド１４及び光管理フィルム２０内に戻る方向に反射されうるという意味において「再利用」される場合もある。反射型偏光層２４を通過する光は、光管理フィルム２０からＬＣＤ  １８内に透過して外側ディスプレイ表面２２を照射することができる。
【００２１】
バックライトディスプレイ装置１０のライトガイド１４は、当該技術分野では周知の任意の適当なライトガイドであってよく、１９９９年１２月１４日公開のＷｉｎｓｔｏｎらに付与された米国特許第６，００２，８２９号、及び２０１０年１１月１６日公開のＪｏｎｅｓらに付与された米国特許第７，８３３，６２１号に述べられる例示的なライトガイドの１以上が含まれうる。これらの米国特許の全容を本明細書に援用するものである。ライトガイド１４に隣接したリフレクター１６に適した材料としては、高反射リフレクター（Enhanced Specular Reflectior）（３Ｍ，Ｓｔ．Ｐａｕｌ，ＭＮより市販されるもの）、又は白色ＰＥＴをベースとしたリフレクターが挙げられる。
【００２２】
反射型偏光層２４の材料及び構造は、反射型偏光層２４が特定の偏光状態の光を反射する一方で別の偏光状態の光は透過するように選択することができる。例えば、反射型偏光層２４は、反射型偏光層２４の透過軸に平行な光に対しては比較的低い反射率を有し、反射型偏光層２４の透過軸に垂直な光に対しては比較的高い反射率を有しうる。上記に述べたように、反射型偏光層２４を、ＬＣＤ  １８の後方偏光子によって通常であれば吸収される光に対して比較的高い反射率を示すように選択することで、光が代わりにライトガイド１４内に戻る方向に反射され、場合により再利用されるようにすることができる。反射型偏光層２４に適した材料としては、二重高輝度フィルム（Dual Brightness Enhancement Film）又は「ＤＢＥＦ」（３Ｍ，Ｓｔ．Ｐａｕｌ，ＭＮより市販されるもの）が挙げられる。特定の例では、反射型偏光層２４は異なる光学特性を有する複数の薄いフィルム層を含みうる。
【００２３】
図に示されるように、多数のテーパ状突起３０は反射型偏光層２４上に配置され、反射型偏光層２４とライトガイド１４との間に配置されている。多数のテーパ状突起３０には、少なくとも４つの側面を有するほぼ角錐状の突起、及び／又はほぼ円錐状の突起が含まれうる。形状によらず、多数のテーパ状突起３０のそれぞれの突起はライトガイド１４に近づく方向にテーパし、ＬＣＤ  １８及び反射型偏光層２４から遠ざかる方向にテーパしている。
【００２４】
図１Ａ及び１Ｂの組み合わせに示されるように、多数のテーパ状突起３０の形状は、それぞれの個々の突起が、ほぼ直交する２平面に沿ってライトガイド１４に近づく方向にテーパするようなものである。例えば、突起３０Ａの各側面は、ｘ−ｚ平面及びｘ−ｙ平面に沿った突起３０Ａの断面においてライトガイド１４の方向に互いに向かってテーパしている。線形プリズムと異なり、多数の突起３０の各突起は、図１Ａ及び１Ｂの向きに見られるように、ｘ軸にほぼ平行なほぼすべての平面に沿ってこのようにテーパしている。線形プリズムがライトガイド１４からの光を、その光の少なくとも一部がｘ−ｚ平面内でＬＣＤ  １８の方向に再分配されるように偏向／経路変更しうるのに対して、多数の突起３０は、ライトガイド１４からの光を、その光の少なくとも一部がｘ−ｚ及びｘ−ｙ平面の両方の平面内でＬＣＤ  １８の方向に再分配されるように偏向／経路変更することができる。特定の例では、多数のテーパ状突起３０が突起３０のライトガイド表面に対して入射する光を偏向させ、第１の方向に沿って伝播する入射光については、各突起が入射光の大部分を第１の方向とは異なる第２の方向に沿って偏向させて多数のテーパ状突起を通過させることができる。突起３０は、ライトガイド１４からのこうした光の少なくとも大部分をｘ−ｚ及びｘ−ｙ平面の両方の平面内で偏向／経路変更することができる。更に、多数のテーパ状突起３０は、ライトガイド表面に対して入射する光の広がりを少なくとも１つの方向において減少させることができる。
【００２５】
図２は、図１Ａ及び１Ｂの例示的な光管理フィルム２０を示した概念図である。図に示されるように、光管理フィルム２０は、反射型偏光層２４及びその上に配置された多数のテーパ状突起３０を有している。多数のテーパ状突起３０は、反射型偏光層２４の底面上に１層に配列されている。多数のテーパ状突起３０は、反射型偏光層２４の底面から延出し、層２４から遠ざかる方向にテーパしている。多数の突起３０はほぼ均一な構造を有してもよく（例えば、偏向層２６内のすべての突起が同様のサイズ及び形状を有する）、又は偏向層２６内の突起のサイズ及び形状が偏向層２６の全体にわたってほぼ連続的、若しくは非連続的に変化してもよい。
【００２６】
テーパ状突起３０は、任意の適当なパターンで配列されうる。図２に示される例では、多数のテーパ状突起３０は、ほぼ六角緊密充填された（ＨＣＰ）パターンで一連の行及び列に概ね配列されている。各テーパ状突起の基部は円形のものとして示されているが、特定の例では突起３０の基部は六角形であってもよい。別のＨＣＰ構造の例が図２２に示されている。他の例では、多数のテーパ状突起３０は正方形の格子パターンとして配列することもできる。
【００２７】
隣接するテーパ状突起３０の基部間の間隙により、偏向層２６から漏光が生じる場合があり、光管理フィルム２０の性能に影響する可能性がある。一般的に、隣接するテーパ状突起の基部間の隙間は、こうした漏光を生ずる平坦な不活性領域でありうる。このため、特定の例では、テーパ状突起３０は、隣接するテーパ状突起３０間のこうした間隙を小さくするように配列することができる。特定の例では、多数のテーパ状突起３０は、例えば、突起３０が六角形の基部を有するＨＣＰ配列の場合におけるように、隣接する突起３０の基部間に実質的な間隙がないように配列することができる。特定の例では、隣接する突起の基部間の境界の相当部分を互いに接触させることができる。特定の例では、相当部分とは、互いに少なくとも５０％、例えば少なくとも６０％又は少なくとも７０％の接触を含みうる。
【００２８】
反射型偏光層２４上に配置されるテーパ状突起３０の面積密度も、光管理フィルム２０の特性に影響しうる。一般的に、反射型偏光層２４の表面積に対するテーパ状突起３０の密度は、突起３０によって覆われた表面積の割合によって表すことができる。理想的なＨＣＰ配列の六角形の基部を有する突起では、この割合は、正方形格子の正方形の基部を有する突起におけるのと同様、ほぼ１００％である。正方形の配列の円形の基部を有する突起では、この割合は約７８．５％（＝π／４）であり、ＨＣＰ配列ではこの割合は約９０．７％（＝π／２√３）である。
【００２９】
任意の適当な材料を使用して多数のテーパ状突起３０を形成することができる。上記に述べたように、多数のテーパ状突起３０の形状及び材料は、偏向層２６を通過するライトガイド１４からの光の少なくとも一部が、入射光の広がりを減少させ、かつ第１の方向に沿って伝播する入射光の大部分を、第１の方向とは異なる第２の方向に沿って偏向させることを可能とする。適当な材料としては、アクリレート、ポリカーボネート、ポリスチレン、スチレンアクリロニトリルなどの光学ポリマーが挙げられる。適当な材料としては、輝度上昇フィルム（Brightness Enhancing Film）又は「ＢＥＦ」（３Ｍ，Ｓｔ．Ｐａｕｌ，ＭＮより市販されるもの）を形成するために使用される材料が挙げられる。特定の例では、多数のテーパ状突起３０を形成するために使用される材料は、約１．４〜約１．７、例えば約１．４５〜約１．６の屈折率を有しうる。しかしながら、場合によっては、偏向層２６の突起３０の形状によって、偏向層２６の特性を、突起３０を形成するために使用される材料の屈折率とは比較的独立させることができる。
【００３０】
図３は、例示的な光管理フィルム２０及び例示的なライトガイド１４の分解図を示した概念図である。図１Ａ及び１Ｂに関して上記に述べたように、ライトガイド１４から光管理フィルム２０内に放射された光２１は、偏向層２６を通過する際にある程度偏向及び／又はコリメートされる。図３に示される例では、光２１は、光２３として光管理フィルム２０の上面にほぼ直交する方向に偏向される。光２３は、ＬＣＤ  １８に入射して外側ディスプレイ表面２２を照射する（図１Ａ及び１Ｂ）。
【００３１】
多数の突起３０の形状は、光管理フィルム２０を通過する光の偏向に影響しうる。上記に述べたように、ほぼ円錐状の突起及び／又は少なくとも４つの面を有するほぼ角錐状の突起としての突起３０の形状は、偏向層２６が突起３０のライトガイド表面に対して入射する光を偏向させ、第１の方向に沿って伝播する入射光については、突起３０が入射光の大部分を第１の方向と異なる第２の方向に沿って偏向させて多数のテーパ状突起を通過させることを可能とするものである。更に、突起３０は、ライトガイド１４から偏向層２６を通過する入射光の広がりを減少させることができる。特定の例では、突起３０の基底面にほぼ垂直な方位角方向及び垂直方向から測った「極」角を基準として、突起３０が充分な数の側面（例えば１０個よりも多い）を有し、極入射角のピーク値が法線に向かう方向の反射を可能とする突起の頂角と一致する場合に、法線に向かう方向の偏向はライトガイドからの光の方位角の影響を比較的受けにくくなりうる。ライトガイド１４からの光の偏向は、例えば交差した形態に積層された２枚の線形プリズムフィルムがライトガイドからの光を偏向させる例と比較して、１層のみのテーパ状突起３０によって実現することができる。
【００３２】
図４及び５は、例示的な光管理フィルム２０の反射型偏光層２４の２つの異なる例を示した概念図である。図４の例では、層２４は２つの副層を有している。詳細には、反射型偏光層２４は、反射型偏光副層３４上に艶消しコーティング３２を有している。これに対して、図５の例では、反射型偏光層２４は、艶消しコーティング３２、反射型偏光副層３４、接着副層３６、及び透明フィルム副層３８を上から下にこの順番で有している。
【００３３】
反射型偏光副層３４に適した材料及び構造は、反射型偏光層２４に関して上記に述べたもの（図１Ａ及び１Ｂ）とほぼ同様であってよい。一般的に反射型偏光副層３４は、光の偏光状態に基づいてライトガイド１４及び偏向層２６からの光を反射又は透過する。
【００３４】
艶消しコーティング３２は、例えばライトガイド１４の欠陥又は光源１２付近の明るい領域による、反射型偏光副層３４を透過する光における望ましくない視覚的アーティファクトの解像度を低下させる機能を有しうる。特定の例では、艶消しコーティング３２は、約３μｍ〜約１００μｍの厚さを有してよく、反射型偏光副層３４の表面にわたって均一又は不均一な厚さを有しうる。艶消しコーティング３２は、上記に述べたように光を拡散することによって欠陥を隠すか又は空間的均一性を高めることができる。艶消しコーティング３２はまた、出射する光をある程度コリメートし、角度リサイクリングによって軸方向にある程度の利得を与えることもできる。ある屈折率を有するポリスチレン又はガラスビーズを、アクリレートなどの別の屈折率を有する透明なバインダーと混合することによってこうしたビーズコーティングを形成してもよく、あるいは、コーティングが表面突起を形成する場合にはこれらの成分が同じ屈折率を有してもよい。このような艶消しコーティングは、熱又は紫外線硬化性の透明なポリマーを使用して成形型から微小複製することもできる。
【００３５】
図５の例では、透明フィルム副層３８は接着副層３６を介して反射型偏光副層３４と接着されている。透明フィルム副層３８は、完全なフィルムアセンブリに更なる剛性を与えることによってフィルムの反り及び巻きを低減させることができ、約１０μｍ〜約２００μｍの厚さを有しうる。透明フィルム副層３８に適した材料としては、ＰＥＴ、アクリル樹脂、ポリカーボネートなどが挙げられる。透明フィルム３８を反射型偏光副層３４に接着するために用いられる接着副層３６は、透明又は拡散性のものであってよい。接着副層３６の例示的な材料としては、光学的に透明な感圧接着剤、アクリレート、ウレタンアクリレート、又は任意の光学的に透明な接着材料が挙げられる。
【００３６】
図４及び５に示される構成では、艶消しコーティング３２は反射型偏光副層３４とＬＣＤ  １８（図１Ａ及び１Ｂ）との間に配置することができる。図に示されていないが、多数のテーパ状突起３０は、反射型偏光層２４の下面に（直接的又は間接的に）配置することができる。特定の例では、反射型偏光層２４は、多数のテーパ状突起３０を形成するための突起３０の基板として機能しうる。図４及び５における反射型偏光層２４の構成はあくまで例示的なものに過ぎず、他の構成も考えられる。特定の例では、反射型偏光層２４は艶消しコーティング３２及び／又は透明フィルム副層３８を有さない場合もある。これに加えるか又はこれに代えて、光管理フィルム２０は、例えばライトガイドの欠陥又は光源１２付近の明るい領域による望ましくない視覚的アーティファクトの解像度を低下させるための１以上の拡散層を有しうる。特定の例では、プリズム構造又は非対称的散乱ディフューザー構造を艶消しコーティングに置き換えることができる。こうした構造はいずれも、反射型偏光子の上側における光の角度制御を与えうるものである。
【００３７】
図６及び７は、２つの異なる例示的なテーパ状突起３０Ａを示した概念図である。上記に述べたように、特定の例では、多数のテーパ状突起３０のすべて又は一部がほぼ円錐状の形状を有しうる。図６及び７は、ほぼ円錐状の突起として特徴付けることが可能な２つの例示的なテーパ状突起３０Ａを示している。いずれの場合も、突起３０Ａは、突起の基部から遠ざかる方向にテーパする、連続的に湾曲した（例えば、外表面上に軸方向に延びるエッジを形成する複数の個別の側面を有する角錐状の突起と異なる）側面を有するほぼ円形の基部を有している。上記に述べたように、線形プリズムと異なり、テーパ状突起３０Ａのほぼ円錐状の形状は、突起３０Ａの外表面が図１Ａ及び１Ｂに示されるようにｘ軸とほぼ平行なほぼすべての平面内でテーパするようなものとなっている。
【００３８】
図６に示されるものを含む特定の例では、テーパ状突起３０Ａは、テーパした側面がほぼ同じ点で終端して「尖った先端部」を形成するほぼ円錐状の形状を有している。図７に示されるものを含む他の例では、テーパ状突起３０Ａは、尖った先端部を有さないほぼ円錐状の形状を有する。このような場合、ほぼ円錐状の突起は、基本的には、尖った先端部を有する円錐状突起の先端部の一部が取り除かれた形状でありうる。図７の例では、突起３０Ａの基部の直径（Ｐ基部として示す）は、テーパ形状のためもあり先端部の直径（Ｐ先端部として示す）よりも大きくなっている。
【００３９】
図７の例では、テーパ状突起３０Ａの先端部は基面とほぼ平行な平面として示されているが、他の形態も考えられる。例えば図７のテーパ状突起３０Ａの頂面は、非平面状、例えば凸状であってよく、かつ／又は基面に対して傾斜していてもよい。凸状頂面は「丸みを帯びた」先端部と呼ぶこともできる。先端部の切り詰め又は丸みづけは、フィルムの強度を高めて組み立て時に先端部分が破損する可能性を低減し、例えばディスプレイ装置１０における光管理フィルム２０の使用性を高めるうえで効果的でありうる。固定された先端部の半径に対しては、先端部の切り詰め又は丸みづけの影響を最小限に抑えるために基部の半径（円錐体の間隔）を最大とすることも効果的でありうる。
【００４０】
特定の例では、テーパ状突起３０Ａの先端部は、最大量の光を軸方向（図１Ａ及び１Ｂにおけるｘ方向）に近づく方向に偏向させるために適度に尖らせることができる。例えば特定の場合では、光管理フィルム２０の軸方向の輝度は、突起３０の先端部及び基部領域の相対面積とともに減少する。図７に示されるテーパ状突起３０Ａの場合、光損失を低減するために先端部の面積は基部の面積の約２０％未満、例えば約１０％未満とすることが好ましい場合がある。
【００４１】
図６に示されるように、例示的な突起３０Ａ及び本明細書において述べられる他の例示的な突起は、突起３０のライトガイド表面に対して入射する光を偏向させ、第１の方向に沿って伝播する入射光については、突起３０が入射光の大部分を第１の方向とは異なる第２の方向に沿って偏向させて多数のテーパ状突起を通過させることができる。更に、突起３０は、各突起の表面に入射する光の広がりを少なくとも１つの方向（例えば互いに直交する２方向）において減少させることができる。突起３０Ａは、例えばディスプレイ１０に組み込まれる場合に、光をガイドの横断方向及びガイドに沿った方向の両方にこのように偏向／経路変更することができる。
【００４２】
図８Ａ及び８Ｂは、２つの異なる例示的なテーパ状突起４０及び４２の水平断面をそれぞれ示した概念図である。テーパ状突起４０及び４２は、光管理フィルム２０の突起の例でありうる。例えば、図８Ａ及び８Ｂに示される図は、図１Ａ及び１Ｂに示されるｚ−ｙ平面にほぼ平行な断面に沿ったものでありうる。この例示的な断面は、例示的な突起４０及び４２の基部、又は軸方向に移動した突起４０及び４２上の他の点を表しうる。
【００４３】
図８Ａに示されるように、突起４０はほぼ円形の断面を有している。これに対して、突起４２は、図８Ｂに示されるように楕円形又は卵形の形状の細長い断面を有している。細長い断面を有する突起４２は、光管理フィルム２０に用いられた場合に例えば円形の断面を有する突起４０と比較して異なる特性を与えることができる。特定の例では、多数の突起４２を用いたフィルムにおいて、突起４２は、ガイドに沿った方向又はガイドの横断方向に細長いものであってよい。下記に述べるように、特定の例では、軸方向の出力は、突起４２のような細長い断面を有する突起が、細長い断面の軸がガイドの横断方向となる向きとされる場合に高くなりうる。特定の例では、ライトガイドにわたって突起の断面を狭くする（ガイドに沿った方向に細長くする）ことによって、突起から出射する光の角度範囲を狭めて集中させる効果が得られ、これにより軸方向の輝度を高める助けとなりうる。特定の例では、突起は、約０．５〜約２．０、例えば約０．８〜約１．２のアスペクト比を有してよい。
【００４４】
図９は、反射型偏光層２４上のテーパ状突起３０Ａの断面を示した概念図である。参考として、図９に示される図は、ｘ−ｙ平面で突起３０Ａを２等分する断面に沿ったものでありうる。より一般的には、突起３０Ａの形状のため、図９の図は、ｘ方向に平行な任意の平面で突起３０Ａを２等分する断面も表しうる。上記に述べたように、突起３０は、ほぼ円錐状の形状又は少なくとも４つの側面を有するほぼ角錐状の形状を有しうる。図９には示されていないが、突起３０Ａの形状によらず、突起３０Ａは、ディスプレイ装置１０に用いられる場合、反射型偏光層２４から遠ざかる方向にテーパするとともにライトガイド１４に近づく方向にテーパしうる（図１Ａ及び１Ｂ）。
【００４５】
図９に示されるように、突起３０Ａは反射型偏光層２４の表面から突出し、高さ５２を有している。突起３０Ａの高さ５２は、約１０μｍ〜約２００μｍの範囲であってよい（例えば約２０μｍ〜約１８０μｍ、より好ましくは約７５μｍ〜約１５０μｍ）。特定の例では、突起３０Ａは、少なくとも約１０μｍの高さを有しうる。突起３０Ａの高さはｘ方向の厚さを規定しうる。より一般的には、多数の突起３０及び反射型偏光層２４を含む光管理フィルム２０の厚さ（例えば図１Ａ及び１Ｂに示される）は、約３５μｍ〜約５００μｍ、例えば約５０μｍ〜約２００μｍでありうる。
【００４６】
突起３０Ａの側壁４４のテーパは、軸方向に沿って（負のｘ方向に）テーパしている。側壁４４は、突起３０Ａの基底面に対して角度５０をなしている。一般的に角度５０は、突起３０Ａが反射型偏光層２４の表面から遠ざかる方向で、かつライトガイド１４に近づく方向に沿ってテーパする（図１Ａ及び１Ｂ）ように規定される。角度５０は、突起３０Ａの垂直軸（ｘ方向）を中心として径方向に沿ってほぼ一定でありうる。このような例では、突起３０Ａは、垂直軸を中心としてほぼ対称でありうる。特定の例では、突起３０Ａの軸対称性のため、ライトガイド１４からの光が所望のバイアスで変換されることで比較的高い回収率が与えられる。他の例では、突起３０Ａは垂直軸を中心として非対称であってもよく、その場合、角度５０は垂直軸を中心として径方向に沿って変化しうる。この場合、突起３０Ａは、一方向に傾いているとみなすことができる。突起３０Ａが軸対称である場合、角度５０は９０°未満、又はより詳細には約５０°未満でありうる。
【００４７】
特定の例では、突起の幾何形状は、高さ、基部、これらに基づくアスペクト比、円錐の傾角、及び頂角によって規定される。特定の例では、突起３０Ａは±約１０°の範囲内の傾角をなしてよく、円錐の頂角は、約５０〜約８０°であってよい。上記に述べたように、特定の例では、突起３０Ａは、約１０μｍ〜約２００μｍの高さ、及び約０．５〜約２．０のアスペクト比を有しうる。
【００４８】
図９に示される例では、突起３０Ａの側壁４４はほぼ平面である。他の例では、突起３０Ａは凸状側壁４６又は凹状側壁４８を有しうる。更に、突起４４の側壁４４は図９ではほぼ滑らかな表面として示されているが、他の例では側壁４４の全体又は一部が、粗面又は非平滑面を与える１以上の３次元的形成部（突起、陥凹部、溝など）を表面上に有してもよい。特定の例では、側壁４４の表面形成部は、突起３０Ａが約０．１μｍ二乗平均平方根（ｒｍｓ）〜約５μｍ二乗平均平方根（ｒｍｓ）、例えば約０．２μｍ（ｒｍｓ）〜約３μｍ二乗平均平方根（ｒｍｓ）の表面粗さを示すように構成されることができる。特定の例では、突起３０Ａは、可視光の波長よりも小さい、例えば可視光の波長の約９０％よりも小さい、可視光の波長の約５０％よりも小さい、又は可視光の波長の約１０％よりも小さい平均表面粗さを示す。特定の例では、突起３０Ａの表面は光学的に平滑であってもよい。特定の例では、凹状、凸状、又は微細構造化（粗い）表面は、フィルムからの角度出力分布を概ね広げうる。これは、バックライトの空間的均一性を高める助けともなりうるものである。特定の例では、突起３０Ａの表面の粗さが増大するとともに、軸方向に偏向される光の量が低減され、これによりディスプレイの明るさが低下する。
【００４９】
上記に述べたように、突起３０Ａは、層２４上に配置することができる多数のテーパ状突起３０のうちの１以上を表しうる。特定の例では、多数の突起３０はほぼ均一な構造を有してもよく（すなわち、すべての突起が同様のサイズ及び形状を有する）、又は多数の突起のサイズ及び形状が偏向層２６の全体にわたってほぼ連続的、若しくは非連続的に変化してもよい。
【００５０】
本開示の例を、ほぼ円錐状である突起３０Ａにより主として説明してきたが、突起３０Ａ及びより一般的には多数の突起３０は、少なくとも４つの側面を有するほぼ角錐状の突起であってもよい。一般的に、ほぼ円錐状の突起の特徴（例えば高さ、先端部の構造、側壁の角度、側壁の形状など）に関する本開示の説明のすべては、少なくとも４つの側面を有するほぼ角錐状の突起にも当てはまるものであり、逆もまた同様である。
【００５１】
図１０は、例示的なテーパ状突起５４を示した概念図である。図に示されるように、突起５４はほぼ円錐状の形状ではなくほぼ角錐状の形状を有している。突起５４は、反射型偏光層２４上に配置することができる突起の一例である（図１Ａ及び１Ｂ）。ディスプレイ装置１０に用いられる場合、突起５４はライトガイド１４に近づく方向で、かつ偏向層２４から遠ざかる方向にテーパさせることができる。
【００５２】
図１０に示される例では、突起５４は６つの側面５６を有している（説明を簡単にするため、１つの側面のみに番号を付してある）。図７に示されるほぼ円錐状の突起３０Ａの側面と異なり、例えば突起５４は個別の側面５６を有し、各側面５６の交線にはエッジが形成されている。これらの個別の側面５６は、突起５４の基部から遠ざかる方向に沿って、互いに近づく方向にテーパしている。
【００５３】
上記に述べたように、テーパ状突起５４は少なくとも４つの側面５６を有しうる。特定の例では、テーパ状突起５４は、３つよりも多くかつ１１個よりも少ない側面、例えば４つよりも多くかつ１１個よりも少ない側面、又は５つよりも多くかつ１１個よりも少ない側面を有しうるが、他の数の側面も考えられる。側面５６の数が無限大に近づくにつれて、突起５４はほぼ角錐状の形状よりもむしろほぼ円錐状の形状を有しうる。
【００５４】
任意の適当な方法を用いて本開示の各例を製造することができる。多数のテーパ状突起を有する偏向層（例えば偏向層２６）を製造するための例示的な製造方法としては、エンボス加工、押出し複製、紫外線硬化成形、及び圧縮成形が挙げられる。複製プロセス用の成形型は、インデンション、レーザーアブレーション、リソグラフィー、及び化学エッチング、又はダイヤモンド旋盤によって形成することができる。
【実施例】
【００５５】
本開示の特定の実施形態に基づくフィルムの特性及び性能を評価するために一連の実験を行った。以下の実施例は、本開示の１以上の実施形態を説明するためのものであり、これらの実施例は本開示の範囲を限定するものではない。
【００５６】
（実施例Ａ）
本開示の一実施例に基づく例示的な光管理フィルムを試験のためにシミュレートした。シミュレートしたフィルムは、反射型偏光層と、反射型偏光層上に配置され、反射型偏光層から遠ざかる方向にテーパした多数の突起とを含むものであった。多数の突起は、実施例Ａ及び下記に述べる他のシミュレーションでは、正方形の配列に配置され、ほぼ円形の基部を有するものとしてシミュレーションを行った。次に光線追跡プログラムを使用し、所定の入力を与えたコノスコープ出力を用いてフィルムを評価した。このようなシミュレーションに適した光線追跡プログラムとしては、Ｌａｍｂｄａ  Ｒｅｓｅａｒｃｈより販売されるＴｒａｃｅＰｒｏ、ＢＲＯより販売されるＡＳＡＰ、及びＯＲＡより販売されるＬｉｇｈｔ  Ｔｏｏｌｓなどの市販のプログラムが挙げられる。
【００５７】
図１１は、ライトガイドから、シミュレートされる例示的な光管理フィルム内への入力に対応する、例示的なライトガイドのコノスコープ入力のシミュレーションを示した画像である。図１２は、光線追跡プログラムによってシミュレートした、例示的な光管理フィルムからのコノスコープ出力を示した画像である。２つのコノスコープ画像の比較によって示されるように、コノスコープ出力は、シミュレートしたフィルムがライトガイドからの光を高角度からフィルムの垂線を中心とした角度の方向に偏向させる様子を示している。
【００５８】
（実施例Ｂ）
本開示の一実施例に基づく例示的な光管理フィルムの変形例をシミュレートした。シミュレートした例示的なフィルムはそれぞれ互いにほぼ同様のものとした。例えば、それぞれの例示的な光管理フィルムは、反射型偏光層と、反射型偏光層上に配置され、反射型偏光層から遠ざかる方向にテーパした多数のほぼ円錐状の突起とを含むものとしてシミュレーションを行った。各フィルムにおいて、多数の円錐状の突起の高さは全体にわたってほぼ均一であり、円錐状の突起は、それぞれの円錐状突起間が約２４μｍの固定間隔となるように正方形の配列に配置され、約１．５６５の屈折率を有していた。ただし、それぞれの例示的な光管理フィルムごとに、テーパ状突起の高さを変化させた。詳細には、第１の例示的なフィルムは、高さ約１７μｍのテーパしたほぼ円錐状の突起を有するものとした。第２の例示的なフィルムは、高さ約１８μｍのテーパしたほぼ円錐状の突起を有するものとした。第３の例示的なフィルムは、高さ約１９μｍのテーパしたほぼ円錐状の突起を有するものとした。第４の例示的なフィルムは、高さ約２０μｍのテーパしたほぼ円錐状の突起を有するものとした。
【００５９】
図１３は、シミュレートしたコノスコープ入力を示す画像である。図１４は、４つの例示的な偏向フィルムのそれぞれについて、垂直面に沿った極角に対する輝度をプロットしたものである。図１４のプロットは、４つの例示的な偏向フィルムのそれぞれについて、垂直断面（９０°〜２７０°にわたる）に沿ったシミュレートしたコノスコープ出力に基づいて作成されたものである。線６０は、高さ約１７μｍのテーパしたほぼ円錐状の突起を有する第１の例示的なフィルムに相当する。線６２は、高さ約１８μｍのテーパしたほぼ円錐状の突起を有する第２の例示的なフィルムに相当する。線６４は、高さ約１９μｍのテーパしたほぼ円錐状の突起を有する第３の例示的なフィルムに相当する。線６６は、高さ約２０μｍのテーパしたほぼ円錐状の突起を有する第４の例示的なフィルムに相当する。
【００６０】
図１４のプロットにより示されるように、第３の例示的なフィルム（突起高さ１９μｍ）は、４つの例示的なフィルムの中で最大の軸方向輝度を示し、軸方向を中心とした中心出力分布が最良となりうる（約０°）。図１２のプロットは、６０°又は６０°付近に明らかなローブを有しているが、これはそれぞれの例示的な偏向フィルムにおいて用いられる正方形配列の各円錐間における漏光によるものと考えられる。特定の場合では、このような漏光は、例えば六角緊密充填配列のような異なる突起の配列を用いることによって低減させるか又は防止することができる。
【００６１】
（実施例Ｃ）
別の実施例において、２つの例示的な光管理フィルムのシミュレーションを行った。これらの例示的な光管理フィルムは、シミュレーションにおいて互いにほぼ同様のものとした。例えば、それぞれの例示的な光管理フィルムは、反射型偏光層と、反射型偏光層上に配置され、反射型偏光層から遠ざかる方向にテーパした多数のほぼ円錐状の突起とを含むものとしてシミュレーションを行った。
【００６２】
ただし、第１の例示的なフィルムは屈折率ｎが約１．５６５である透明なポリマー材料で形成した。これに対して、第１の例示的なフィルムのテーパ状突起は、屈折率ｎが約１．６５である透明なポリマー材料で形成した。
【００６３】
図１５は、例示的なフィルムの両方について、垂直面に沿った極角に対する輝度をプロットしたものである。図１５のプロットは、例示的なフィルムの両方について、垂直断面（９０°〜２７０°にわたる）に沿ったシミュレートしたコノスコープ出力に基づいて作成されたものである。図１５において、線６８は、屈折率が約１．５６５の透明なポリマー材料で形成されたテーパしたほぼ円錐状の突起を有する第１の例示的なフィルムに相当し、線７０は、屈折率が約１．６５の透明なポリマー材料で形成されたテーパしたほぼ円錐状の突起を有する第２の例示的なフィルムに相当する。
【００６４】
図１５のプロットによって示されるように、特定の例では、本開示の例示的な偏向フィルムの出力分布は、偏向フィルムの突起を形成するために用いられる材料の屈折率の影響を比較的受けにくいと考えられる。ここで、それぞれの例示的なフィルムについて約４０°〜６０°における輝度の差は、円錐の屈折によるものと考えられる。
【００６５】
（実施例Ｄ）
別の実施例において、２つの例示的な光管理フィルムのシミュレーションを行った。これらの例示的な光管理フィルムは、シミュレーションにおいて互いにほぼ同様のものとした。例えば、それぞれの例示的なフィルムは、反射型偏光層と、反射型偏光層上に配置され、反射型偏光層から遠ざかる方向にテーパした多数のほぼ円錐状の突起とを含むものとしてシミュレーションを行った。両方のフィルムを、夾角が６７．４°であり、それぞれ１０個のファセット面、屈折率１．５６５を有する角錐状の突起の配列としてシミュレーションを行い、光源の入力分布をプロットの下に示した。ただし、一方のフィルムは、基部直径を２４μｍとしてシミュレーションを行い、他方のフィルムは基部直径を５０μｍとしてシミュレーションを行った。それぞれの例示的な直径について、基部に対する先端部の面積比を変化させて先端部の切り詰めの影響を調べた。
【００６６】
図１６は、基部に対する先端部の面積比に対して軸方向の輝度をプロットしたものである。入力分布は、シミュレートしたコノスコープ入力を示した画像における図１３のものと同じである。すべての点が同じ線上にあることから、先端部の切り詰めの効果を予測するうえでは基部に対する先端部の面積比のみが必要である。
【００６７】
（実施例Ｅ）
別の例において、２つの例示的な光管理フィルム積層体のシミュレーションを行った。第１の例示的なフィルム積層体（タイプＡと呼ぶ）は、本開示の１以上の実施例に基づく例示的なフィルムをシミュレートしたものであった。詳細には、この例示的なフィルムは、図５に示されるものとほぼ同様の反射型偏光部分を含んだが、艶消し層３２は含まず、反射型偏光部分から遠ざかる方向にテーパした多数のテーパ状突起を含むものであった。したがって、この第１の例は、反射型偏光層、接着層、透明基板層、テーパ状突起、及びライトガイドがこの順に配され、テーパ状突起が反射型偏光層から遠ざかる方向にテーパした構成を有していた。テーパ状突起は、屈折率約１．５６５、頂角約６４．５°、及び基部直径が約２４μｍの、２０個の側面を有する角錐の配列としてモデル化した。反射型偏光層は、３Ｍ，Ｓｔ．Ｐａｕｌ，ＭＮより販売されるＤＢＥＦＱをシミュレートしたものであった。偏光子は、モデル内のテーパ状突起の上にあり、その透過軸は反射型偏光子の軸と整列されていた。タイプＡのフィルムのシミュレーション用の入力光分布は、図１１に示されるものであり、ディフューザーのないライトガイドに相当する。このような入力は、場合によって、多数のテーパ状突起を有するフィルムにおいて最適なものであり、ディフューザーフィルムの必要がなくなることにより、バックライトが単純化されうる。
【００６８】
第２の例示的なフィルム積層体（タイプＢと呼ぶ）は、ライトガイドと組み合わされ、反射型偏光層、第１のプリズムフィルム、第２のプリズムフィルム、ディフューザー層、及びライトガイドがこの順に配された構成であった。第１及び第２のプリズムフィルムは、頂角９０°の多数の平行な線形プリズムがその上に設けられた透明な基板で形成され、互いに対して交差する向きに配されていた。タイプＢのフィルムのシミュレーション用の入力光分布は、図２７に示されるものであり、ディフューザーのあるライトガイドに相当する。これは、反射型偏光子及び交差プリズムフィルム（ＢＥＦなど）を有するシステムへの一般的な入力である。
【００６９】
図１７は、例示的なフィルム積層体構造の両方について、水平方向（ライトガイドの伝播方向を横切る方向）に沿った極角に対して輝度をプロットしたものである。詳細には、図１７は、２つの例示的な構造のシミュレーションから得られた、ディスプレイの水平方向に沿った出力角度分布の断面を示している。図１７において、線７２はタイプＡの構造に相当し、線７４はタイプＢの構造に相当する。タイプＡの輝度の値は、ライトガイドからの積分強度に対して標準化されており、タイプＢの輝度の値は、ライトガイド＋ディフューザー層の積分強度に対して標準化されている。これは、タイプＡ及びタイプＢの構造に対する入力からの総出力は等しくないため、タイプＡ及びタイプＢの構造の相対的効率を比較するため、シミュレーションの結果をそれぞれの光源からの積分強度に対してそれぞれ標準化したということである。
【００７０】
図１７のプロットは、タイプＡ及びタイプＢの構造の両方について、軸方向（極角＝０）に沿った比較的高い明るさを示している。より高い角度では、タイプＡは、タイプＢの構造と比較して大幅に高い明るさを示している。この結果は、タイプＢの構造の明るさと比較した場合に、タイプＡの構造ではより高い角度でより高い明るさを示すビューワーＬＣＤ画像が得られることに相当するものである。
【００７１】
（実施例Ｆ）
本開示の一実施例に基づく例示的な光管理フィルムの変形例でシミュレートした。例示的なフィルムはそれぞれ互いにほぼ同様のものとした。例えば、それぞれの例示的な偏向フィルムは、反射型偏光層と、反射型偏光層上に配置され、反射型偏光層から遠ざかる方向にテーパした多数のほぼ円錐状の突起とを含むものとした。それぞれのフィルムについて、多数の円錐状の突起の高さは、全体にわたってほぼ均一とした。
【００７２】
ただし、このシミュレーションでは、テーパ状突起の水平断面によって規定されるアスペクト比をそれぞれの例示的な偏向フィルムについて変化させた。図８Ａ及び８Ｂに関して上記に述べたように、特定の例では、偏向層のテーパ状突起は、ほぼ円形の基部（アスペクト比が約１）を有するか、又は例えばガイドに沿った方向若しくはガイドの横断方向に細長いものとすることができる。この例のアスペクトの目的では、１よりも大きいアスペクト比は、それぞれの突起の基部が、ガイドに沿った方向に細長く伸びた形状を有することを表す。このように細長く伸びた形状とすることにより、アスペクト比が約１．０の突起と比較して、ライトガイドのｚ−ｙ断面における断面が効果的に狭められる。上記に述べたように、特定の例では、ライトガイドにわたって突起の断面を狭くする（ガイドに沿った方向に細長くする）ことによって、突起から出射する光の角度範囲を狭めて集中させる効果が得られ、これにより軸方向の輝度を高める助けとなりうる。これに対して、１よりも小さいアスペクト比は、それぞれの突起の基部が、ガイドの横断方向に細長く伸びた形状を有することを表す。このように細長く伸びた形状とすることにより、アスペクト比が約１．０の突起と比較して、ライトガイドのｚ−ｙ断面における断面が効果的に広げられる。
【００７３】
第１の例示的なフィルムは、アスペクト比が約０．８のテーパしたほぼ円錐状の突起を有するものとした。第２の例示的なフィルムは、アスペクト比が約０．９のテーパしたほぼ円錐状の突起を有するものとした。第３の例示的なフィルムは、アスペクト比が約１．０（ほぼ円形）のテーパしたほぼ円錐状の突起を有するものとした。第４の例示的なフィルムは、アスペクト比が約１．１のテーパしたほぼ円錐状の突起を有するものとした。第５の例示的なフィルムは、アスペクト比が約１．２のテーパしたほぼ円錐状の突起を有するものとした。
【００７４】
図１８は、５つの例示的な偏向フィルムのそれぞれについて、極角に対して輝度をプロットしたものである。線７６は、第１の例示的なフィルム（アスペクト比０．８）に相当し、線７８は、第２の例示的なフィルム（０．９）に相当し、線８０は、第３の例示的なフィルム（１．０）に相当し、線８２は、第４の例示的なフィルム（１．１）に相当し、線８４は、第５の例示的なフィルム（８６）に相当する。
【００７５】
図１８のプロットにより示されるように、第４及び第５の例示的なフィルム（それぞれ１．１及び１．２のアスペクト比）は最大の軸方向の出力を示した。これら２つの例示的なフィルムのうち、第４の例（アスペクト比１．１）はより広い角度分布を有しており、特定のディスプレイシステムにおいて第５の例示的なフィルムよりも好ましいものとなりうる。
【００７６】
（実施例Ｇ）
別の例において、多数のほぼ角錐状の突起によって形成される表面をそれぞれが有する２つの例示的な光管理フィルムをシミュレートした。第１の例示的なフィルムは、４つの側面を有するほぼ角錐状の突起を有するものとした。第２の例示的なフィルムは、１０個の側面を有するほぼ角錐状の突起を有するものとした。図１９は、４つの側面を有するほぼ角錐状の突起を有する光管理フィルムからシミュレートされたコノスコープ出力を示す画像である。図２０は、１０個の側面を有するほぼ角錐状の突起を有する光管理フィルムからシミュレートされたコノスコープ出力を示す画像である。
【００７７】
（実施例Ｈ）
上記に述べたように、様々な方法を用いて本開示に述べられるフィルムの例を作製することができる。例えば、ほぼ円錐状又は角錐状の突起を有するフィルムを作製するための製造方法としては、エンボス加工、押出し複製、紫外線硬化成形、及び圧縮成形が挙げられる。複製プロセス用の成形型は、インデンション、レーザーアブレーション、リソグラフィー、及び化学エッチング、又はダイヤモンド旋盤によって形成することができる。
【００７８】
１つの方法を例示するため、凸状の側面を有するほぼ円錐状の突起（「弾丸」状の円錐と呼ぶ場合がある）を、レーザーアブレーション加工によって形成された稠密充填された孔からなる成形型に対して紫外線樹脂を硬化させることによって作製した。図２１は、上記に述べた方法を用いて作製した例示的な「弾丸」状の円錐を示した光学顕微鏡写真である。
【００７９】
（実施例Ｉ）
別の例において、円錐状の突起の配列を有するフィルムを、レーザーアブレーションした成形型から複製によって作製した。図２２は、平面図で見た円錐状の突起の例示的な配列を示した光学顕微鏡写真である。図２２に示されるように、円錐状の突起の配列は、六角緊密充填配列で設けられている。この円錐状の突起は、ほぼ円形の基部を有していた。
【００８０】
図２３は、斜視図で見た図２２の円錐状の突起の配列を示した走査電子顕微鏡（ＳＥＭ）写真である。図２２及び２３の例示的なフィルムの特性を評価するため、例示的なフィルムをノートブック型ライトガイド上に、各円錐がライトガイドに近づく方向にテーパするように置いた。試料のフィルムは、透明なＰＥＴ基板と、ＰＥＴ基板の表面上に配置された多数のほぼ円錐状の突起とを有していた。円錐の高さ（山から谷まで）は約２０μｍであり、各円錐の基部の直径は約２４μｍであった。円錐は、六角配列に緊密に充填して配置した。各突起は、硬化後の屈折率が約１．５６７であるアクリル紫外線硬化性樹脂で形成した。次いで試料のフィルムを、対角線が３．５インチ（８．９ｃｍ）のライトガイドプレートの上に置き、６個のＬＥＤをライトガイドプレートの１つの縁部に配置した。正反射フィルム（高反射リフレクター（Enhanced Specular Reflector）、３Ｍ，Ｓｔ．Ｐａｕｌ，ＭＮより販売されるもの）を、例示的なフィルムの反対側となるようにライトガイドの下に置いた。次いでコノスコープをシステムの上に置き、試料のフィルムの平坦な面から光分布出力を測定した。
【００８１】
図２４は、この組み合わせから得られたコノスコープ画像である。図２４のコノスコープ画像に示されるように、この組み合わせは両方の次元において高いコリメート性を示した。
【００８２】
比較のため、例示的なフィルムを、ディフューザー層及び交差する向きで積層された２枚の線形プリズムフィルムを有する例示的なフィルム積層体に置き換えた。同じライトガイド及び正反射フィルムを使用した。ディフューザーフィルム（厚さ５０μｍ）をライトガイドプレートの上に置いた。２枚のプリズムフィルム（３Ｍ，Ｓｔ．Ｐａｕｌ，ＭＮより販売されるＴＢＥＦ２−Ｔｎ  ９０／２４）は、各フィルムのプリズムが交差する向きで互いに直交するようにしてディフューザーフィルムの上に積層した。プリズムフィルムはそれぞれ、約６２μｍの厚さ、約２４μｍのプリズムピッチを有し、プリズムの角度は約９０°であった。この場合もやはり、コノスコープをシステムの上に置き、上側のプリズムフィルムの上面から光分布を測定した。
【００８３】
図２５は、この組み合わせから得られたコノスコープ画像である。図２５のコノスコープ画像に示されるように、この組み合わせは、例示的な偏向フィルム／ライトガイドの組み合わせと比較してよりシャープなカットオフ値を示した。
【００８４】
（実施例Ｊ）
評価を行うために４つの例示的なフィルム構造を作製した。図２６は、４つの例示的なフィルム構造の軸方向の輝度を比較した棒グラフである。第１の例示的なフィルム（タイプＡとして示す）は、下側ディフューザー層、及び交差する向きで積層された２枚の線形プリズムフィルムを有し、図２５に関して述べた例とほぼ同じものとした。第２の例示的なフィルム（タイプＢとして示す）は、多数のテーパ状突起を有し、図２４に関して述べた例とほぼ同じものとした。第３の例示的なフィルム（タイプＣとして示す）及び第４の例示的なフィルム（タイプＤとして示す）は、いずれも同じタイプＢのフィルムを有するが、試料フィルムに積層された多層反射型偏光子を更に有するものとした。突起は反射型偏光子から遠ざかる方向にテーパするものとした。第３の例では、使用した具体的な反射型偏光子は、厚さ約２６μｍのＡＰＦタイプの二重高輝度フィルム（Dual Brightness Enhancement Film）（３Ｍ，Ｍａｐｌｅｗｏｏｄ，ＭＮより市販されるもの）とした。第４の例では、反射型偏光子は、コリメート型多層反射型偏光フィルムである、コリメート型二重高輝度フィルム（Dual Brightness Enhancement Film）とした。タイプＤの例の反射型偏光子の厚さは約５６μｍであった。テーパ状突起を有するそれぞれの例において、テーパ状突起は、図２６にまとめて示される軸方向の輝度を測定する際、ライトガイドに近づく方向にテーパするようにした。
【００８５】
図２６のプロットに示されるように、反射型偏光子を多数のテーパ状突起と組み合わせて使用することにより、偏向フィルム単独の場合と比較して軸方向の明るさが大幅に上昇した。更に、コリメート型反射型偏光子は、ＡＰＦよりも軸方向の輝度の向上により効果的であるようであった。成形型加工及び複製プロセスにおける更なる改良、並びに例示的な偏向層の円錐状表面の品質及び形状に対する調整によって、シミュレーションから導出された名目上のレベルにまで効率を高めることが可能であると考えられる。
【００８６】
項目１．
反射型偏光層と、
反射型偏光層上に配置され、反射型偏光層から遠ざかる方向にテーパした多数のテーパ状突起と、を含むフィルムであって、多数のテーパ状突起が多数のほぼ円錐状の突起又は少なくとも４つの側面を有する多数の角錐状の突起の少なくとも一方を含む、フィルム。
【００８７】
項目２．多数のテーパ状突起が、６〜１０個の側面を有する多数の角錐状の突起を含む、請求項１に記載のフィルム。
【００８８】
項目３．多数のテーパ状突起のそれぞれのテーパ状側面がほぼ平面状である、請求項１に記載のフィルム。
【００８９】
項目４．多数のテーパ状突起が、六角緊密充填パターンに配列された多数のテーパ状突起を含む、請求項１に記載のフィルム。
【００９０】
項目５．多数のテーパ状突起がほぼ円形の基部を規定する、請求項４に記載のフィルム。
【００９１】
項目６．反射型偏光層が、艶消しコーティング及び反射型偏光副層を含み、艶消しコーティングが反射型偏光副層上の多数のテーパ状突起と反対側に配置された、請求項１に記載のフィルム。
【００９２】
項目７．反射型偏光層が、接着副層を介して反射型偏光副層に接着された透明フィルム副層を含む、請求項６に記載のフィルム。
【００９３】
項目８．多数のテーパ状突起が、透明フィルム副層の表面上に直接配置された、請求項７に記載のフィルム。
【００９４】
項目９．多数のテーパ状突起が、ほぼ円形の基部又はほぼ楕円形の基部の一方を有する多数のテーパ状突起を含む、請求項１に記載のフィルム。
【００９５】
項目１０．多数のテーパ状突起が約１０μｍよりも大きい高さを有する、請求項１に記載のフィルム。
【００９６】
項目１１．多数のテーパ状突起が約５０°〜約８０°の頂角を形成する、請求項１に記載のフィルム。
【００９７】
項目１２．多数のテーパ状突起のテーパ面が、約０．１μｍ二乗平均平方根（ｒｍｓ）〜約５μｍ  ｒｍｓの表面粗さを示す、請求項１に記載のフィルム。
【００９８】
項目１３．多数のテーパ状突起のそれぞれのテーパ状突起が、基部の面積を規定する基部表面と、先端部の面積を規定する先端部表面とを有し、先端部の面積が基部の面積の約１０％よりも小さい、請求項１に記載のフィルム。
【００９９】
項目１４．多数のテーパ状突起が反射型偏光層上に直接配置された、請求項１に記載のフィルム。
【０１００】
項目１５．隣り合う突起のそれぞれの基部が互いに相当の接触状態にある、請求項１に記載のフィルム。
【０１０１】
項目１６．多数のテーパ状突起のテーパ面が、概ね可視光の波長よりも小さい表面粗さを示す、請求項１に記載のフィルム。
【０１０２】
項目１７．多数のテーパ状突起が、入射光の広がりを互いに直交する少なくとも２方向において減少させる、請求項１に記載のフィルム。
【０１０３】
項目１８．
光源と、
ライトガイドと、
外側ディスプレイ表面と、
ライトガイドと外側ディスプレイ表面との間の、ライトガイドに近づく方向にテーパした多数のテーパ状突起と、を含むディスプレイアセンブリであって、多数のテーパ状突起が、多数のほぼ円錐状の突起又は少なくとも４つの面を有する多数の角錐状の突起の少なくとも一方を含み、光源からの光がライトガイドを通って多数のテーパ状突起内に伝播する、ディスプレイアセンブリ。
【０１０４】
項目１９．多数のテーパ状突起が、６〜１０個の側面を有する多数の角錐状の突起を含む、請求項１８に記載のディスプレイアセンブリ。
【０１０５】
項目２０．多数のテーパ状突起のそれぞれのテーパ状側面がほぼ平面状である、請求項１８に記載のディスプレイアセンブリ。
【０１０６】
項目２１．多数のテーパ状突起が、六角緊密充填パターンに配列された多数のテーパ状突起を含む、請求項１８に記載のディスプレイアセンブリ。
【０１０７】
項目２２．多数のテーパ状突起がほぼ円形の基部を規定する、請求項２１に記載のディスプレイアセンブリ。
【０１０８】
項目２３．多数のテーパ状突起と、外側ディスプレイ表面との間に反射型偏光層を更に含む、請求項１８に記載のディスプレイアセンブリ。
【０１０９】
項目２４．反射型偏光層が、艶消しコーティング及び反射型偏光副層を含み、艶消しコーティングが反射型偏光副層上の多数のテーパ状突起と反対側に配置された、請求項２３に記載のディスプレイアセンブリ。
【０１１０】
項目２５．反射型偏光層が、接着副層を介して反射型偏光副層に接着された透明フィルム副層を含む、請求項２４に記載のディスプレイアセンブリ。
【０１１１】
項目２６．多数のテーパ状突起が、反射型偏光層の表面上に直接配置された、請求項２３に記載のディスプレイアセンブリ。
【０１１２】
項目２７．外側ディスプレイ表面を規定する液晶ディスプレイ（ＬＣＤ）を更に含む、請求項１８に記載のディスプレイアセンブリ。
【０１１３】
項目２８．ライトガイドによって多数のテーパ状突起から分離されたリフレクター層を更に含み、リフレクター層が光をライトガイドの方向に反射するように構成されている、請求項１８に記載のディスプレイアセンブリ。
【０１１４】
項目２９．多数のテーパ状突起と外側ディスプレイ表面との間に反射型偏光層を更に含み、多数のテーパ状突起が反射型偏光層上に直接配置された、請求項１８に記載のディスプレイアセンブリ。
【０１１５】
項目３０．隣り合う突起のそれぞれの基部が互いに相当の接触状態にある、請求項１８に記載のディスプレイアセンブリ。
【０１１６】
項目３１．ライトガイドからそれぞれの突起に入射する光の大部分が、約３４°よりも大きいディスプレイの法線に対する角度を示す、請求項１８に記載のディスプレイアセンブリ。
【０１１７】
項目３２．多数のテーパ状突起のテーパ面が、概ね可視光の波長よりも小さい表面粗さを示す、請求項１８に記載のシステム。
【０１１８】
項目３３．多数のほぼ角錐状の突起を含むフィルムであって、多数の角錐状の突起のそれぞれが４つよりも多い面を有する、フィルム。
【０１１９】
項目３４．多数のほぼ角錐状の突起のそれぞれの面がほぼ平面状である、請求項３３に記載のフィルム。
【０１２０】
項目３５．多数のほぼ角錐状の突起が、六角緊密充填パターンに配列された多数のほぼ角錐状の突起を含む、請求項３３に記載のフィルム。
【０１２１】
項目３６．多数のほぼ角錐状の突起上に配置された反射型偏光層を更に含み、多数のほぼ角錐状の突起が反射型偏光層から遠ざかる方向にテーパしている、請求項３３に記載のフィルム。
【０１２２】
項目３７．反射型偏光層が、艶消しコーティング及び反射型偏光副層を含み、艶消しコーティングが反射型偏光副層の表面上の多数のほぼ角錐状の突起と反対側に配置された、請求項３６に記載のフィルム。
【０１２３】
項目３８．反射型偏光層が、接着副層を介して反射型偏光副層に接着された透明フィルム副層を含む、請求項３６に記載のフィルム。
【０１２４】
項目３９．多数のほぼ角錐状の突起が、透明フィルム副層の表面上に直接配置された、請求項３８に記載のフィルム。
【０１２５】
項目４０．多数のほぼ角錐状の突起が約１０μｍよりも大きい高さを有する、請求項３３に記載のフィルム。
【０１２６】
項目４１．多数のほぼ角錐状の突起の各面が、約５０°〜約８０°の頂角を形成する、請求項３３に記載のフィルム。
【０１２７】
項目４２．多数のほぼ角錐状の突起の各面が、約０．１μｍ二乗平均平方根（ｒｍｓ）〜約５μｍ  ｒｍｓの表面粗さを示す、請求項３３に記載のフィルム。
【０１２８】
項目４３．多数のほぼ角錐状の突起の各面が、概ね可視光の波長よりも小さい表面粗さを示す、請求項３３に記載のフィルム。
【０１２９】
項目４４．隣り合う突起のそれぞれの基部が互いに相当の接触状態にある、請求項３３に記載のフィルム。
【０１３０】
項目４５．多数の角錐状の突起のそれぞれが、６〜１０個の面を有する、請求項３３に記載のフィルム。
【０１３１】
項目４６．多数の角錐状の突起が、それぞれの突起の表面に入射する光の広がりを少なくとも１つの方向において減少させ、かつ入射光の大部分を偏向させ、第１の方向に沿って伝播する入射光については、突起が光の大部分を前記第１の方向とは異なる第２の方向に沿って偏向させる、請求項３３に記載のフィルム。
【０１３２】
以上、本発明の異なる実施形態について説明した。これらの実施例及び他の実施形態は以下の特許請求の範囲に含まれるものである。
【図１Ａ】
2014520357.tif 000003
【図１Ｂ】
2014520357.tif 000004
【図２】
2014520357.tif 000005
【図３】
2014520357.tif 000006
【図４】
2014520357.tif 000007
【図５】
2014520357.tif 000008
【図６】
2014520357.tif 000009
【図７】
2014520357.tif 000010
【図８Ａ】
2014520357.tif 000011
【図８Ｂ】
2014520357.tif 000012
【図９】
2014520357.tif 000013
【図１０】
2014520357.tif 000014
【図１１】
2014520357.tif 000015
【図１２】
2014520357.tif 000016
【図１３】
2014520357.tif 000017
【図１４】
2014520357.tif 000018
【図１５】
2014520357.tif 000019
【図１６】
2014520357.tif 000020
【図１７】
2014520357.tif 000021
【図１８】
2014520357.tif 000022
【図１９】
2014520357.tif 000023
【図２０】
2014520357.tif 000024
【図２１】
2014520357.tif 000025
【図２２】
2014520357.tif 000026
【図２３】
2014520357.tif 000027
【図２４】
2014520357.tif 000028
【図２５】
2014520357.tif 000029
【図２６】
2014520357.tif 000030
【図２７】
2014520357.tif 000031
【国際調査報告】
2014520357.tif 000032
2014520357.tif 000033
2014520357.tif 000034